(57)【特許請求の範囲】
【請求項１】
予め扉１の吊元端面１１に形成された通電金具の扉側電線ケース用切欠部１２を利用して該切欠部に電源ケース１０を嵌込み、この電源ケース１０は、吊元端面１１に固着される取付け片１５と、この取付け片１５の内壁面に設けられたケース状部１７とから成り、前記ケース状部１７には、電源収納部１８と、この電源収納部１８に収納された電源２０を基に扉の開放端部側中央部に設けられた電気錠３を電気的に制御する制御手段収納部２２と、非接触型の施解錠信号発信手段２７の電波を受信し、かつ、前記制御手段収納部２２の制御手段２３に受信した解錠又は施錠信号を送くる受信機２６がそれぞれ設けられていることを特徴とする非接触型扉用錠前制御装置。
【請求項２】
予め扉１の吊元端面１１に形成された通電金具の扉側電線ケース用切欠部１２を利用して該切欠部に電源ケース１０Ａを嵌込み、この電源ケース１０は、吊元端面１１に固着される取付け片１５Ａと、この取付け片１５Ａの内壁面に設けられた電源収納部１８Ａを有するケース状部１７Ａとから成り、一方、扉１の開放端部側中央部に設けられた電気錠３Ａには、前記電源収納部１８Ａに収納された電源２０を基に電気的に制御する制御手段収納部２２Ａと、非接触型の施解錠信号発信手段２７の電波を受信し、かつ、前記制御手段収納部２２Ａの制御手段２３に受信した解錠又は施錠信号を送くる受信機収納部２５Ａがそれぞれ設けられていることを特徴とする非接触型扉用錠前制御装置。
【発明の詳細な説明】
【０００１】
【発明の属する技術分野】
本発明は、非接触型扉用錠前制御装置に関する。
【０００２】
【従来の技術】
従来、玄関扉の錠前制御装置は、電気錠と、操作盤と、通電金具から成る電気的施解錠システムとして構成され、接触型解錠手段（例えばテンキーに対する暗証番号入力）により、電気錠を解錠又は施錠している。普通一般に実施化されているこの種の扉用錠前制御装置は、基本的に三つの製品の組合わせから構成されている。
【０００３】
すなわち、標準タイプの錠前制御装置は、玄関用扉の開放端部側中央部の切欠部に嵌め込まれる電気錠と、前記扉以外の場所（例えば玄関の出入口）に設置された制御部を有する操作盤と、この操作盤から配電管を介して扉用縦枠まで案内されてきた制御部側電線と、扉内に同じく配電管を介して扉の吊元端面に形成された切欠部まで案内されてきた電気錠側電線とをそれぞれ互いに結線するための通電金具とから成る。そして、前記通電金具は、扉用縦枠に形成された切欠部に嵌込まれる縦枠側電線ケースと、前記吊元端面に形成された切欠部に嵌込まれる扉側電線ケースと、両ケースにそれぞれ貫装状態に設けられた通電用電線とから構成されている。
【０００４】
ところで、上記錠前制御装置の操作盤は、商業用電源を利用してその制御部の制御信号を電気錠に送っているが、現在、操作盤に代わる非接触型の施解錠信号発信手段（例えば非接触型ＩＤカード、リモコン式操作キー）が普及するに対応し、制御手段（制御器或いはプリント基盤）並びに電源（電池）を扉に取付ける試みが行われている。
【０００５】
そこで、扉の開放端部側中央部に形成されている電気錠嵌込み用第１切欠部に連通する第２切欠部を縦長状に形成し、この第２切欠部に複数本の電池を収納した電源ケース、受信部を有する制御手段等を組み込む実施例が提案されている。
【０００６】
しかしながら、建具施工業者の立場を考慮すると、扉の開放端部に縦長状の第２切欠部を形成することは、扉の意匠的な面や標準タイプの錠前制御装置との併用関係で、敬遠されがちであると言う問題点がある。つまり、建具施工業者の立場からすれば、従来の電気錠仕様の第１切欠部のみを利用して、標準タイプの錠前制御装置や非接触型錠前制御装置を扉に組み込むことが可能な実施例が要望されている。
【０００７】
【発明が解決しようとする課題】
本考案は以上のような従来の要望点に鑑み、第１の目的は、従来の標準タイプの錠前制御装置（一般的なメカ錠）を含め、扉の開放端部側中央部の外観形状（電気錠仕様の第１切欠部）をそのまま変えないで、非接触型錠前制御装置を扉に組み込むことができることを目的とする。第２の目的は、電源としての電池の交換を容易に行うことができることである。第３の目的は、通電金具（電気的工事）を無くし、非接触型の施解錠信号発信手段で電気錠を施解錠することができることである。
【０００８】
【課題を解決するための手段】
本発明の非接触型扉用錠前制御装置は、予め扉１の吊元端面１１に形成された通電金具の扉側電線ケース用切欠部１２を利用して該切欠部に電源ケース１０を嵌込み、この電源ケース１０は、吊元端面１１に固着される取付け片１５と、この取付け片１５の内壁面に設けられたケース状部１７とから成り、前記ケース状部１７には、電源収納部１８と、この電源収納部１８に収納された電源２０を基に扉の開放端部側中央部に設けられた電気錠３を電気的に制御する制御手段収納部２２と、非接触型の施解錠信号発信手段２７の電波を受信し、かつ、前記制御手段収納部２２の制御手段２３に受信した解錠又は施錠信号を送くる受信機２６がそれぞれ設けられていることを特徴とする。
【０００９】
また本発明の非接触型扉用錠前制御装置は、予め扉１の吊元端面１１に形成された通電金具の扉側電線ケース用切欠部１２を利用して該切欠部に電源ケース１０Ａを嵌込み、この電源ケース１０は、吊元端面１１に固着される取付け片１５Ａと、この取付け片１５Ａの内壁面に設けられた電源収納部１８Ａを有するケース状部１７Ａとから成り、一方、扉１の開放端部側中央部に設けられた電気錠３Ａには、前記電源収納部１８Ａに収納された電源２０を基に電気的に制御する制御手段収納部２２Ａと、非接触型の施解錠信号発信手段２７の電波を受信し、かつ、前記制御手段収納部２２Ａの制御手段２３に受信した解錠又は施錠信号を送くる受信機収納部２５Ａがそれぞれ設けられていることを特徴とする。
【００１０】
【発明の実施の形態】
図１乃至図４に示す第１実施例で本発明の実施の形態を説明する。まず１は建物の出入り口に蝶番２を介して開閉可能に取付けられた扉である。３は扉１の開放端部側の中央部に取付けられた電気錠である。この電気錠３は、フロント４を有する錠ケース５を備え、該錠ケース５内には施解錠機構が適宜に組み込まれている。施解錠機構は、周知のようにソレノイドを有し、制御部側から通電（施錠）信号が送られてくると、デッドボルト６を施錠（突出）状態にし、一方、制御部側から非通電（解錠）信号が送られてくると、デッドボルト６を解錠（後退）状態にする。そして、前記錠ケース５には、キー用シリンダー７やレバーハンドル８が装着されている。
【００１１】
次に１０は扉１の枢着或いは吊元端部側の中央部寄りの部位に取付けられた電源ケースである。この電源ケース１０は、扉１の吊元端面１１に形成され、かつ、従来通電金具の一部を構成する扉側電線ケース（図示しない）が嵌込まれていた切欠部１２を利用して、該切欠部１２に取付けられる。なお、普通一般に通電金具は、扉１用縦枠に形成された切欠部に嵌込まれる縦枠側電線ケースと、前記吊元端面１１に形成された切欠部１２に嵌込まれる扉側電線ケースと、両ケースにそれぞれ貫装状態に設けられた通電用電線とから成る。
【００１２】
そこで、図３を参照に電源ケース１０の構成について説明する。１５はフロント状の取付け片である。この取付け片１５の上下端部には、前述した切欠部１２の切欠開口１２ａに設けられた上下の取付けステー１３、１３のメネジ孔１４、１４にそれぞれ対向するネジ孔１６、１６が形成されている。
【００１３】
１７は取付け片１５の内壁面に溶着されたケース状部である。このケース状部１７は三つに大別することができる。すなわち、１８は一側壁に方形開口１９を有する電源収納部である。この電源収納部１８には、本実施例では合計５個の乾電池２０が収納されている。また前記方形開口１９には開閉蓋２１が係脱可能に設けられている。２２は電源収納部１８の下方に一体的に連設する制御手段収納部である。制御手段収納部２２に収納された制御手段（制御基盤）２３は配線２４を介して前述した電気錠３に電気的に接続されている。２５は制御手段収納部２２の下方に連設すると共に、前記取付け片１５の内壁面の下部まで延びた受信機収納部である。この受信機収納部２５の受信機２６は、制御手段２３に電気的に接続していると共に、非接触型の施解錠信号発信手段２７の電波を受信する。
【００１４】
前記施解錠信号発信手段２７としては、いわゆる平面的なＩＤカード型や立体的なリモコン型が存在するが、本実施例では外観上摘み形状のリモコンキーが使用されている。この摘みタイプのリモコンキー２７は、例えば自動車のドアを施解錠する際にもすでに採用されているように、施解錠信号発信回路に各々施解錠用の登録番号が設定され、かつ、１又は２つの信号発信用操作釦２８を備えている。
【００１５】
上記構成に於いて、扉１を施解錠する場合には、図１で示すように施解錠信号発信手段（リモコンキー）２７を扉１に近付ける。次いでリモコンキー２７の操作釦２８を押すと、施錠又は解錠信号が電源ケース３に向かって発信される。そこで、電源ケース３の受信機２６がその電波を受信すると、制御手段は当該受信信号を判別かつ制御する。この制御信号は電気錠３に送られ、その結果、電気錠３は非接触状態で施錠又は解錠する。
【００１６】
【実施例】
第１実施例において、電源ケース１０の形状は特に問わない。電源ケースは、要は従来通電金具の一部を構成する扉側電線ケースが嵌込まれていた切欠部１２を併用的に嵌め込むことができれば良い。したがって、制御手段収納部２２や受信機収納部２５の形成箇所も設計如何によって変わる。またリモコンキー２７は、電源ケース１０から１ｍ以内で操作するのが望ましい。
【００１７】
次に図５及び図６に示す第２実施例を説明する。なお、第１実施例と同一の部分には便宜上同一又は同様の符号を付し、重複する説明を省略する。そこで、第２実施例において、前記第１実施例と主に異なる点は、電源ケース１０Ａに制御手段収納部や受信機収納部が一体的に形成されていないことである。つまり、電源ケース１０Ａは、取付け片１５Ａと、この取付け片１５Ａの裏面に一体的に設けられ、かつ、電源収納部１８Ａを有するケース状部１７Ａとから成ることである。一方、図６で示すように電気錠３Ａの錠ケース５Ａの一側壁に制御手段収納部２２Ａを一体的に設け、また錠ケース５Ａの上部或いはフロント４Ａの裏面上部側に受信機収納部２５Ａを一体的に設けたことである。なお、実施例如何によっては、電源ケースに電源収納部と共に制御手段収納部を設け、一方、電気錠の錠ケースに受信機収納部を設けても良い。
【００１８】
【発明の効果】
以上の説明から明らかなように、本発明にあっては次に列挙するような効果がある。
（１）予め扉の吊元端面に形成された通電金具の扉側電線ケース用切欠部を利用して、該切欠部に電源ケースを嵌込んだので、従来の標準タイプの錠前制御装置を含め、扉の開放端部側中央部の外観形状（電気錠嵌込み用切欠部）をそのまま変えないで、非接触型錠前制御装置を扉に組み込むことができる。
（２）扉を開くと、扉の吊元端面が現れるので、電源としての電池の交換を容易に行うことができる。
（３）通電金具（電気的工事）を無くし、非接触型の施解錠信号発信手段で電気錠を施解錠することができる。
【図面の簡単な説明】
図１乃至図４は本発明の第１実施例を示す各説明図。図５及び図６は本発明の第２実施例を示す各説明図。
【図１】発明の実施の形態を示す概略説明図。
【図２】全体の斜視からの概略説明図。
【図３】電源ケースと扉との関係を示す斜視からの概略説明図。
【図４】全体の概略説明図。
【図５】第２実施例の電源ケースと扉との関係を示す斜視からの概略説明図。
【図６】第２実施例の全体の概略説明図。
【符号の説明】
１…扉、３、３Ａ…電気錠、４、４Ａ…フロント、５、５Ａ…錠ケース、１０、１０Ａ…電源ケース、１１…吊元端面、１２…切欠部、１５、１５Ａ…取付け片、１７、１７Ａ…ケース状部、１８、１８Ａ…電源収納部、２０…電源、２２、２２Ａ…制御手段収納部、２３…制御手段、２４…配線、２５、２５Ａ…受信機収納部、２６…受信機、２７…施解錠信号発信手段。
【図１】
0004390294.tif 000002
【図２】
0004390294.tif 000003
【図３】
0004390294.tif 000004
【図４】
0004390294.tif 000005
【図５】
0004390294.tif 000006
【図６】
0004390294.tif 000007